(57)【要約】【課題】食器に対して用途に応じて底面の角度を変えることができるようにすることを課題とする。【解決手段】板状体の表面に想定される食器の底が収まる窪み（２０）を設けて成る食器用受け皿（Ｘ）において、前記窪み（２０）の底面（２１）が水平面に対して傾斜するように形成する。このような構成により、底面（Ｙ１）が水平な食器（Ｙ）に食器用受け皿（Ｘ）を敷くことで、食器（Ｙ）の底面（Ｙ1）を傾けることができ、料理から余分な油の分離等が可能になり、食器（Ｙ）に食器用受け皿（Ｘ）を敷かないことで底面（Ｙ1）を水平のまま使用することができる。【選択図】  図２
0003167939.tif 000002
【実用新案登録請求の範囲】
【請求項１】
板状体の表面に想定される食器の底が収まる窪みを設けて成る食器用受け皿であって、前記窪みの底面が水平面に対して傾斜するように形成されたことを特徴とする食器用受け皿。
【請求項２】
食器と、
板状体の表面に前記前記の底が収まる窪みを設けて成る食器用受け皿であって、前記窪みの底面が水平面に対して傾斜するように形成されたことを特徴とする食器用受け皿と
からなる受け皿付き食器。
【考案の詳細な説明】
【技術分野】
【０００１】
本考案は、食器用受け皿の構造に関する。
【背景技術】
【０００２】
下記特許文献には食器の底面に傾斜を設けた考案が示されている。このように、食器の底面に傾斜を設けることで、焼肉やステーキなどの油が多く含まれる料理や水気の多い料理において油分や水分を料理から分離することができ、また、スープを入れるような場合に、スープを最後まで飲みやすくすることができる。
【先行技術文献】
【特許文献】
【０００３】
【特許文献１】実開昭４８−７３７０号公報
【特許文献２】実開昭５３−１５２８７６号公報
【特許文献３】実開平６−３８７５０号公報
【特許文献４】特開２００１−７０１２２号公報
【特許文献５】実用新案登録第３１１６７７７号公報
【特許文献６】実用新案登録第３１６２８６５号公報
【考案の概要】
【考案が解決しようとする課題】
【０００４】
しかし、このように食器の底に傾斜を設ける場合、食器の生産コストが増すとともに、用途が限定されてしまうという問題がある。
本考案はこのような問題に鑑み、食器に対して用途に応じて底面の角度を変えることができるようにすることを課題とする。
【課題を解決するための手段】
【０００５】
上記課題を解決するために本考案は次のような構成を有する。
請求項１に記載の考案は、板状体の表面に想定される食器の底が収まる窪みを設けて成る食器用受け皿であって、前記窪みの底面が水平面に対して傾斜するように形成されたことを特徴とする食器用受け皿である。
請求項２に記載の考案は、食器と、板状体の表面に前記前記の底が収まる窪みを設けて成る食器用受け皿であって、前記窪みの底面が水平面に対して傾斜するように形成されたことを特徴とする食器用受け皿とからなる受け皿付き食器である。
【考案の効果】
【０００６】
以上の構成から、本考案は次のような効果を奏する。
請求項１に記載の考案は、窪みに嵌る一般的な食器の下に敷くと、窪みの底面が傾斜しているので食器の底面もこれに合致するように傾くことになり、料理の余分な油を分離させたり、スープを飲みやすくしたりすることができる。食器は一般的なものを使用できるので、本願に係る食器用受け皿を敷かなければ、普通の食器として使用でき、特別な食器を用意することなく、状況に応じて食器の底面を傾けたり、傾けなかったりすることができる。
さらに、底面が傾いた食器に敷く場合は、食器用受け皿の窪み底面の傾きと食器の底面の傾きとが合致する方向に食器を置くと食器の底面の傾きをより急にすることができ、また、両者の傾きが反対になる方向に食器を置くと、食器の底面の傾きを緩やかにすることができる。
請求項２に記載の考案も、食器の底面が水平のものである場合は、食器に食器用受け皿を敷くことで、底面を傾けることができ、料理の余分な油の分離等が可能になり、食器に食器用受け皿を敷かないことで、底面を水平のまま使用することができる。また、底面の傾いた食器を使用する場合は、食器の向きによって食器の底面の傾きを異なる２つの傾斜度に変更することができる。
【図面の簡単な説明】
【０００７】
【図１】（ａ）は実施形態に係る食器用受け皿の平面図であり、（ｂ）は（ａ）のＡ−Ａ断面図である。
【図２】（ａ）は食器用受け皿と食器が分離した状態を示す断面図であり、（ｂ）は食器用受け皿に食器を置いた状態を示す断面図である。
【図３】（ａ）は変形例に係る食器用受け皿の平面図であり、（ｂ）は（ａ）のＢ−Ｂ断面図である。
【考案を実施するための形態】
【０００８】
以下、本考案の実施の形態について、図面を参照しながら説明する。
図１（ａ）に本実施形態に係る食器用受け皿Xの平面図を示し、図１（ｂ）に図１（ａ）のＡ−Ａ断面図を示す。
食器用受け皿Ｘは、平面視長辺が膨らんだ長方形状のやや厚い板体からなる本体１０と本体１０の中央部分に設けられる、食器を載置する窪み２０とから構成される。本体１０は底面側の両短辺に接触する部分が一定範囲削られて指を掛けやすい形状に加工されている。
窪み２０は、図１（ｂ）に示すように底面２１が長手方向に沿って傾斜するように形成されている。また、窪み２０は平面視角を落とした長方形状をしており、傾斜により浅くなっている側の短辺位置に矩形状の突出した凹部２２を設けることで、食器を持ち上げやすいようになっている。窪み２０の平面形状は想定される食器が入る大きさ、形状に設定される。
本体１０の材質は、特に限定されるものではなく、せともの、ガラス、ステンレス、スチール、合成樹脂、木等種々のものを採用することができる。
【０００９】
次に、このような構成を有する食器用受け皿Ｘの使用方法及び効果について説明する。使用に際しては、例えば、図２（ａ）の断面図に示すような、窪み２０に入る形状と大きさを有する、底Ｙ1が水平な食器Ｙを食器用受け皿Ｘの窪み２０に置くと、図２（ｂ）に示すように食器Ｙの底面Y1は窪み２０の底面の傾斜に沿って傾斜することになる。これにより、肉料理などを食器に載せると余分な油が傾斜に沿って流れることで、料理の油分を減少させたり、また、傾斜の底に溜まった油分や肉汁などに香辛料や調味料などを混ぜ合わせることでオリジナルのソースを作ったりすることができる。また、図２（ａ）（ｂ）では底の浅い食器を例示しているが、底の深い食器を用いてスープなどの液状の料理を食器に入れた場合、食器の底に傾斜ができることで残り少なくなったスープ等が食器の底の片側に集まるので、手で食器を傾けてスープ等を集めことなく最後までスープ等をすいやすくすることができる。
【００１０】
なお、上記実施形態では、横長の食器用の食器用受け皿Ｘを例示したが、食器の形状に応じて窪みの形状を変えれば種々の食器に適用することができる。例えば、円形の食器に好適な食器用受け皿Ｘａを図３（ａ）（ｂ）に示す。図３（ａ）は食器用受け皿Ｘａの平面図、図３（ｂ）の図３（ａ）のＢ−Ｂ断面図である。食器用受け皿Ｘａは、円形の食器に適用できるように、平面視略正方形状の板体からなる本体部に円形の窪み２０ａを設けたものであり、窪み２０ａの底面２１ａは図３（ｂ）に示すように傾斜するように形成されている。また、窪み２０aの傾斜により浅くなっている側には、食器を持ちやすいように矩形状の突出した凹部２２ａが設けられている。
食器用受け皿の外形は上述した略長方形状、略正方形状に限定されるものではなく、楕円状、円形状、多角形状など種々のものが採用でき、さらに、縁部に切り欠きや凹凸などを形成することでデザイン的な装飾を施してもよい。同様に、窪みも底面が傾斜していれば種々の形状が採用でき、上述の長方形状、円形状に限られず、楕円状、多角形状等、使用されることが想定される食器の形状に合わせて種々の変更が可能である。
【００１１】
上記実施形態では、底の平らな食器を使用することを例示したが、底に傾斜が設けられた食器に対して使用することもできる。この場合は２種類の食器の底の傾斜角度を実現することが可能である。即ち、食器の底の傾斜方向と食器用受け皿の傾斜方向とを合致させると、食器の底の傾斜をより大きくすることができ、食器の底の傾斜方向と食器用受け皿の傾斜方向とを反対にすると、食器の底の傾斜を緩くすることができる。特に、後者の場合において、食器の底の傾斜角と、食器用受け皿の傾斜角を一致させておくと、食器の底面を水平にすることができる。
また、上記実施形態では、食器用受け皿の一面側のみに窪みを設けたが、反対面に底面の傾斜角度が異なる窪み、又は、底面に傾斜が設けられていない窪みを設けてもよい。これにより、底の水平な食器においても、受け皿のいずれかの面を使用することで、食器の底に関して異なる傾斜度角を得ることが可能となる。
【符号の説明】
【００１２】
Ｘ、Ｘａ  食器用受け皿
Ｙ  食器
１０、１０ａ  本体
２０、２０ａ、窪み
２１、２１ａ  窪みの底面
２２、２２ａ  凹部
【図１】
0003167939.tif 000003
【図２】
0003167939.tif 000004
【図３】
0003167939.tif 000005